(57)【要約】【課題】連続紙に対する画像形成処理において、ヤレ紙を低減すると共に、形成された画像の確認を容易に行うことを可能とする。【解決手段】用紙搬送部３１と、画像形成部３２と、定着部３３と、用紙搬送部３１、画像形成部３２、及び制御部３４と、を有し、制御部３４は、画像形成動作を終了する際に、ヤレ紙抑制モードが選択されている場合には、用紙搬送部３１を制御して、連続紙Ｐ上の最終画像後端が定着部３３を通過した後、最終画像後端が、第１停止位置より上流の第２停止位置に位置するように搬送を停止し、画像形成動作を終了する際に、ヤレ紙抑制モードが選択されていない場合には、用紙搬送部３１を制御して、連続紙Ｐ上の最終画像後端が定着部３３を通過した後、最終画像後端が、第１停止位置に位置するように搬送を停止する。【選択図】図２
2018045250.tif 000002
【特許請求の範囲】
【請求項１】
連続紙を搬送する用紙搬送部と、
連続紙上に画像を形成する画像形成部と、
連続紙上に形成された画像を定着する定着部と、
前記用紙搬送部、前記画像形成部、及び前記定着部による画像形成動作を制御する制御部と、を有し、
前記制御部は、
画像形成動作を終了する際に、ヤレ紙抑制モードが選択されている場合には、
前記用紙搬送部を制御して、連続紙上の最終画像後端が前記定着部を通過した後、前記最終画像後端が、第１停止位置より上流の第２停止位置に位置するように搬送を停止し、
画像形成動作を終了する際に、前記ヤレ紙抑制モードが選択されていない場合には、
前記用紙搬送部を制御して、連続紙上の最終画像後端が前記定着部を通過した後、前記最終画像後端が、前記第１停止位置に位置するように搬送を停止し、
前記画像形成部及び前記定着部を有する画像形成装置と、
前記画像形成装置から離間して配され、前記画像形成装置により画像形成された連続紙を支持軸に巻き取る巻取装置と、を備え、
前記第１停止位置は、連続紙上の最終画像後端が、前記巻取装置の前記支持軸に巻き取られる位置であり、
前記第２停止位置は、前記画像形成装置と前記巻取装置との間となる位置であることを特徴とする画像形成システム。
【請求項２】
前記制御部は、
前記ヤレ紙抑制モードが選択されていない場合には、連続紙を前記定着部に接触させた状態で搬送する定着冷却処理を実施し、
前記ヤレ紙抑制モードが選択されている場合には、前記定着冷却処理を実施しないことを特徴とする請求項１に記載の画像形成システム。
【請求項３】
前記制御部は、
前記ヤレ紙抑制モードが選択されていない場合には、前記画像形成部による画像形成の開始前に前記用紙搬送部により所定時間連続紙を搬送する蛇行安定待ち処理を実施し、
前記ヤレ紙抑制モードが選択されている場合には、前記蛇行安定待ち処理を実施しないことを特徴とする請求項１又は２に記載の画像形成システム。
【請求項４】
前記定着部は、圧着及び離間可能なローラー対を備え、
前記制御部は、
前記ヤレ紙抑制モードが選択されている場合には、
画像形成動作を終了する際の前記ローラー対の離間タイミングを、前記ヤレ紙抑制モードが選択されていない場合より早くすることを特徴とする請求項１〜３の何れか一項に記載の画像形成システム。
【請求項５】
ユーザーが、画像形成動作の種類に応じて前記ヤレ紙抑制モードを設定可能な設定部を備えることを特徴とする請求項１〜４の何れか一項に記載の画像形成システム。
【請求項６】
画像形成動作の種類は、確認用のプルーフ印刷、連続紙上の画像形成領域のサイズが所定長さ以下の一画像印刷、連続して画像形成動作を行う連続印刷を含むことを特徴とする請求項５に記載の画像形成システム。
【請求項７】
前記設定部により、前記連続印刷に対して前記ヤレ紙抑制モードが設定されていた場合、
前記制御部は、
連続紙上の最終画像後端が前記定着部を通過した後、次の画像形成動作が予約されているか否かを判断し、次の画像形成動作が予約されている場合には、当該予約された画像形成動作の前の画像形成動作を前記ヤレ紙抑制モードで行うことを特徴とする請求項６に記載の画像形成システム。
【請求項８】
前記第１停止位置の上流で且つ前記第２停止位置の下流に、連続紙の切断を行う切断部を備えることを特徴とする請求項１〜７の何れか一項に記載の画像形成システム。
【発明の詳細な説明】
【技術分野】
【０００１】
本発明は、画像形成システムに関する。
【背景技術】
【０００２】
従来、ロール紙のような連続紙を記録媒体として使用する画像形成システムとして、例えば、画像形成装置と、画像形成装置に連続紙を給紙する給紙装置と、画像形成装置から搬送されてきた連続紙を支持軸に巻き取ってロール状に保持する巻取装置と、を備えた画像形成システムが知られている。
かかる画像形成システムにおいては、加工や納品等の後続の工程を考慮して、画像形成処理終了時に、連続紙上の最終画像が支持軸に巻き取られる位置（巻き取り完了位置）まで連続紙を搬送してから動作停止させるのが一般的である。
また、こうした画像形成システムにおいては、定着ローラー圧着後に連続紙を所定距離搬送させて連続紙の搬送時の挙動の安定を待ってから画像形成処理を開始する処理（蛇行安定待ち処理）や、画像形成処理後に定着ローラーを圧着させた状態で連続紙を搬送し、定着部を冷却する処理（定着冷却処理）が行われる事もある。
【０００３】
しかしながら、例えば、本番の画像形成ジョブを実施する前のプルーフ印刷（試し印刷）や、連続で画像形成ジョブを実施する場合、単純にそれぞれの処理を連続して行なうと、蛇行安定待ち処理や定着冷却処理を実施し、且つ最終画像を巻取り完了位置まで一旦搬送してから次の画像形成処理を実施する事になる為、画像の前後或いはジョブとジョブの間に、多くのヤレ（白紙部分）や待ち時間が発生する。
更に、プルーフ印刷の場合は形成された画像の確認を行なうために、巻き取られた連続紙を手作業で戻す等の作業が必要となり、ユーザーの手間がかかる。
【０００４】
例えば、特許文献１には、連続紙に対する印刷を行う場合に用紙の無駄の発生を抑えるための技術が提案されている。
【先行技術文献】
【特許文献】
【０００５】
【特許文献１】特開２００８−１１４５６４号公報
【発明の概要】
【発明が解決しようとする課題】
【０００６】
しかしながら、特許文献１には、濃度調整等の各種調整により発生する用紙の無駄の発生を抑えるため指定されたページと枚数を断続的に印刷すること等が記載されているが、ヤレ紙を低減する点については言及されていない。また、特許文献１には、ユーザーが停止指示をした場合、画像が確認窓にて確認できるように停止することが記載されており、画像の確認においてユーザーの手間がかかる。
【０００７】
本発明はこのような課題に鑑みてなされたものであって、連続紙に対する画像形成処理において、ヤレ紙を低減すると共に、形成された画像の確認を容易に行うことのできる画像形成システムを提供することを目的とする。
【課題を解決するための手段】
【０００８】
上記課題を解決するため、
本発明の一の態様によれば、画像形成システムにおいて、
連続紙を搬送する用紙搬送部と、
連続紙上に画像を形成する画像形成部と、
連続紙上に形成された画像を定着する定着部と、
前記用紙搬送部、前記画像形成部、及び前記定着部による画像形成動作を制御する制御部と、を有し、
前記制御部は、
画像形成動作を終了する際に、ヤレ紙抑制モードが選択されている場合には、
前記用紙搬送部を制御して、連続紙上の最終画像後端が前記定着部を通過した後、前記最終画像後端が、第１停止位置より上流の第２停止位置に位置するように搬送を停止し、
画像形成動作を終了する際に、前記ヤレ紙抑制モードが選択されていない場合には、
前記用紙搬送部を制御して、連続紙上の最終画像後端が前記定着部を通過した後、前記最終画像後端が、前記第１停止位置に位置するように搬送を停止し、
前記画像形成部及び前記定着部を有する画像形成装置と、
前記画像形成装置から離間して配され、前記画像形成装置により画像形成された連続紙を支持軸に巻き取る巻取装置と、を備え、
前記第１停止位置は、連続紙上の最終画像後端が、前記巻取装置の前記支持軸に巻き取られる位置であり、
前記第２停止位置は、前記画像形成装置と前記巻取装置との間となる位置であることを特徴とする。
【発明の効果】
【０００９】
本発明によれば、連続紙に対する画像形成処理において、ヤレ紙を低減すると共に、形成された画像の確認を容易に行うことができる。
【図面の簡単な説明】
【００１０】
【図１】本発明における画像形成システムの概略構成の一例を示す図である。
【図２】本発明における画像形成装置の制御構成を示す機能ブロック図である。
【図３】設定テーブルの一例を示す図である。
【図４】設定テーブルの他の一例を示す図である。
【図５】画像形成動作の手順を示すフローチャートである。
【図６】通常モードの停止シーケンスを示す図である。
【図７】ヤレ紙抑制モードの停止シーケンスを示す図である。
【発明を実施するための形態】
【００１１】
以下、本発明の実施の形態について図面を参照して説明する。但し、発明の範囲は、図示例に限定されない。
【００１２】
先ず、本実施形態における画像形成システムの構成について説明する。
【００１３】
図１は、画像形成システム１の概略構成の一例を示す図である。
【００１４】
画像形成システム１は、連続紙（ロール紙）Ｐを記録媒体として使用し、この連続紙Ｐ上に画像を形成するシステムである。
図１に示すように、画像形成システム１は、連続紙Ｐの搬送方向に沿って上流側から、給紙装置１０、画像形成装置３０、巻取装置５０が接続されて構成される。
【００１５】
給紙装置１０は、給紙調整部２０を備え、給紙調整部２０を介して連続紙Ｐを画像形成装置３０へ給紙する装置である。給紙装置１０の筐体内では、例えば、図１に示すように、ロール状の連続紙Ｐが支持軸１１に巻回されて回転可能に保持される。給紙装置１０では、支持軸１１に巻回された連続紙Ｐは、複数のローラーを経由して、一定の速度で給紙調整部２０へ搬送される。なお、給紙装置１０において、連続紙Ｐは必ずしもロール状に保持されている必要はなく、折り畳まれて保持されてもよい。また、図１には、一の連続紙Ｐしか示されていないが、複数の連続紙が保持されていてもよい。
【００１６】
給紙調整部２０は、支持軸１１から搬送された連続紙Ｐを、画像形成装置３０へと搬送するための機構であって、給紙装置１０での連続紙Ｐの搬送速度と、画像形成装置３０での連続紙Ｐの搬送速度との速度差を吸収するために、図１に示すように連続紙Ｐをたるませて保持し、画像形成装置３０への連続紙Ｐの給紙を調整する。
【００１７】
画像形成装置３０は、連続紙Ｐに画像を形成する機能を有する装置である。画像形成装置３０は、連続紙Ｐの搬送方向において、給紙装置１０の下流側、且つ、巻取装置５０の上流側に設置される。
【００１８】
巻取装置５０は、巻取調整部４０を備え、巻取調整部４０を介して画像形成装置３０から搬送されてきた連続紙Ｐを巻き取る装置である。
【００１９】
巻取調整部４０は、画像形成装置３０から搬送された連続紙Ｐを、巻取装置５０へと搬送するための機構であって、画像形成装置３０での連続紙Ｐの搬送速度と、巻取装置５０での連続紙Ｐの搬送速度との速度差を吸収するために、図１に示すように連続紙Ｐをたるませて保持し、画像形成装置３０からの連続紙Ｐの排紙を調整する。
【００２０】
巻取装置５０の筐体内では、例えば、図１に示すとおり、連続紙Ｐが支持軸５１に巻回されてロール状に保持される。具体的に、巻取装置５０では、巻取調整部４０から搬送されてきた連続紙Ｐは、複数のローラーを経由し、一旦装置上面に露出された後に再度装置内部に進入する搬送経路を通過しつつ、一定の速度で支持軸５１に巻き取られる。
巻取装置５０の上面の連続紙Ｐの搬送経路上には、切断部５２が設けられている。切断部５２は、例えば、上下方向に移動可能で連続紙Ｐの幅方向に長尺な断裁刃を有し、連続紙Ｐを所定の位置にて切断することができるようになっている。
【００２１】
また、巻取装置５０は、画像形成装置３０から所定距離離間して設置されている。このため、連続紙Ｐは、画像形成装置３０の搬出口３０ａから搬出されて一旦外部に露出される。そして、巻取調整部４０に設けられた支持板４１により下面を支持された状態にて搬送され、巻取調整部４０に設けられた搬入口４０ａから巻取調整部４０の内部に再度搬入される。
【００２２】
次に、画像形成装置３０の構成について詳細に説明する。
図２は、画像形成装置３０の制御構成を示す機能ブロック図である。
【００２３】
図２に示すように、画像形成装置３０は、例えば、用紙搬送部３１と、画像形成部３２と、定着部３３と、制御部３４と、記憶部３５と、操作表示部３６と、を備える。
【００２４】
用紙搬送部３１は、画像形成装置３０内部の連続紙Ｐの搬送機構であり、例えば、複数のローラーによって、給紙調整部２０から搬送された連続紙Ｐを、画像形成部３２へ搬送し、画像形成部３２及び定着部３３を通過した連続紙Ｐを、巻取調整部４０へと搬送する。
【００２５】
画像形成部３２は、電子写真プロセスによってトナー像を形成し、連続紙Ｐに転写する。
例えば、画像形成部３２においては、像担持体として、感光体ドラム（Ｙ、Ｍ、Ｃ、Ｋ）および中間転写ベルトＢが用いられる（図１参照）。中間転写ベルトＢは、無端ベルトであり、複数のローラーにより巻回され、走行可能に支持される。感光体ドラム（Ｙ、Ｍ、Ｃ、Ｋ）に形成された各色のトナー像は、中間転写ベルトＢ上に逐次転写され、各色（Ｙ、Ｍ、Ｃ、Ｋ）の層が重畳したトナー像（カラー画像）が中間転写ベルトＢ上に形成される。そして、トナーと逆極性のバイアスを転写ローラーＴに印加することにより、中間転写ベルトＢ上に形成されたトナー像は連続紙Ｐ上に転写される。転写ローラーＴは、制御部３４の制御により、所定タイミングで中間転写ベルトＢに対して圧着又は離間する。
【００２６】
定着部３３は、連続紙Ｐ上に転写されたトナー像を定着させる。
例えば、定着部３３は、連続紙Ｐを挟持するための、加熱ローラー３３１及び加圧ローラー３３２からなる一対のローラーを備えている。
加熱ローラー３３１は、加熱源としてのヒーターによって所定の温度に加熱される。
加圧ローラー３３２は、制御部３４の制御により、所定タイミングで加熱ローラー３３１に対して圧着又は離間する。
トナー像の転写された連続紙Ｐは、加熱ローラー３３１と加圧ローラー３３２とのニップ部を通ることにより熱と圧力が加えられ、トナー像が溶融定着する。
また、加圧ローラー３３２の外周面近傍には、温度センサーが設けられ、加圧ローラー３３２の外周面近傍の温度を、定着部３３の温度として測定可能である。
【００２７】
制御部３４は、例えば、ＣＰＵ（Central Processing Unit）、ＲＡＭ（Random Access Memory）等により構成される。制御部３４のＣＰＵは、記憶部３５に記憶されているシステムプログラムや処理プログラム等の各種プログラムを読み出してＲＡＭに展開し、展開されたプログラムに従って各種処理を実行する。
例えば、制御部３４は、画像形成装置３０に含まれる各部を制御して、予め設定された連続紙Ｐの搬送モード（「通常モード」又は「ヤレ紙抑制モード」）にて連続紙Ｐを搬送しつつ、連続紙Ｐ上に画像を形成する画像形成動作を実行する。
【００２８】
「通常モード」とは、デフォルトとして設定されているモードである。
具合的に、制御部３４は、連続紙Ｐの搬送モードが「通常モード」に設定されている場合、蛇行安定待ち処理及び定着冷却処理（詳細内容は後述）を実施する。また、このモードにおいては、制御部３４は、画像形成動作終了時、連続紙Ｐ上の最終画像が支持軸５１に巻き取られる巻き取り完了位置（第１停止位置、図１のＰ１）まで連続紙Ｐを搬送して、当該連続紙Ｐの搬送を停止する。
【００２９】
また、「ヤレ紙抑制モード」とは、「通常モード」にて発生する白紙部分（ヤレ）を抑制するためのモードである。
具合的に、制御部３４は、連続紙Ｐの搬送モードが「ヤレ紙抑制モード」に設定されている場合、蛇行安定待ち処理及び定着冷却処理を実施しない。また、このモードにおいては、制御部３４は、画像形成動作終了時、連続紙Ｐ上の最終画像が、画像形成装置３０と巻取調整部４０の間となった位置、即ち、画像を目視可能な位置（第２停止位置、図１のＰ２）まで連続紙Ｐを搬送して、当該連続紙Ｐの搬送を停止する。
【００３０】
蛇行安定待ち処理とは、定着部３３の加熱ローラー３３１と加圧ローラー３３２を圧着させた後に連続紙Ｐを所定距離（例えば４ｍ程度）搬送させて、連続紙Ｐの挙動を安定させる処理である。蛇行安定待ち処理を実施すると、連続紙Ｐの挙動の安定を待ってから、画像形成処理が開始されることとなる。
また、定着冷却処理とは、画像形成処理後、定着部３３の加熱ローラー３３１と加圧ローラー３３２を離間及び再圧着させて、連続紙Ｐを所定距離搬送する処理である。定着冷却処理を実施すると、搬送される連続紙Ｐにより定着部３３の熱が奪われて、効果的に定着部３３の冷却を行うことができる。
【００３１】
「ヤレ紙抑制モード」は、画像形成動作の種類が、例えば、連続印刷、プルーフ印刷、一画像印刷などの場合に好ましく使用される。
「連続印刷」とは、複数のジョブを連続して実行する画像形成動作である。
また、「プルーフ印刷」とは、ユーザーが連続紙Ｐ上に形成された画像を確認するため、本番の画像形成に先行して実行される画像形成動作である。
また、「一画像印刷」とは、連続紙Ｐ上の画像形成領域のサイズを所定長さ以下で実行する画像形成動作である。
即ち、「連続印刷」では、連続して複数のジョブを実行するため、ジョブの合間にヤレが発生しないほうが効率がよい。また、「プルーフ印刷」は、ユーザーが連続紙Ｐ上に形成された画像を確認するためのものであるので、連続紙Ｐ上の最終画像が確認可能な位置で搬送が停止するのが好ましい。また、「一画像印刷」では画像形成領域のサイズが小さいため通常よりヤレが多く、ヤレ紙抑制モードのほうが効率がよい。
【００３２】
記憶部３５は、例えば、ＨＤＤ（Hard Disk Drive）や半導体の不揮発性メモリー等で構成されている。
記憶部３５には、制御部３４で実行されるシステムプログラムや処理プログラムを始めとする各種プログラム、これらのプログラムの実行に必要なデータが記憶されている。
例えば、記憶部３５には、画像形成動作の実行に必要な設定情報が記憶されている。具体的には、例えば、記憶部３５には、ユーザーが操作表示部３６の設定画面（後述）を用いて設定した、画像形成動作における連続紙Ｐの搬送モード等が記憶されている。
【００３３】
操作表示部３６は、設定部として、表示画面を備え、画面上に各種情報の表示を行う表示部３６ａ、及びユーザーによる各種指示の入力に使用される操作部３６ｂを備えている。
操作表示部３６は、設定部として、例えば、画像形成動作における連続紙Ｐの搬送モードを設定変更する場合などに使用される。
【００３４】
図３は、操作表示部３６の表示部３６ａに表示される設定画面の一例であり、連続紙Ｐの搬送モードを設定変更する場合に使用される設定画面Ｇ１である。
設定画面Ｇ１には、「通常モード」を指定するボタンＢ１と、「ヤレ紙抑制モード」を指定するボタンＢ２と、が表示されている。
【００３５】
なお、画像形成動作の種類に応じて、連続紙Ｐの搬送モードを設定変更する構成としても良い。
図４は、画像形成動作の種類に応じて、連続紙Ｐの搬送モードを設定変更する場合に使用される設定画面Ｇ２の一例である。
設定画面Ｇ２には、「通常印刷」、「連続印刷」、「プルーフ印刷」、「一画像印刷」の４つの画像形成の種類を示す項目が表示されている。また、設定画面Ｇ２では、画像形成動作のそれぞれの項目に対して、「通常モード」を指定するボタンＢ１と、「ヤレ紙抑制モード」を指定するボタンＢ２と、が表示されている。
【００３６】
ユーザーは、このような設定画面Ｇ１や設定画面Ｇ２のボタンＢ１又はＢ２を選択操作して、連続紙Ｐの搬送モードを設定変更することができる。
また、連続紙Ｐの搬送モードは、デフォルトとして「通常モード」が設定されているため、ユーザーによる設定変更操作がない場合には、「通常モード」が選択される。
【００３７】
なお、本実施形態においては、制御部３４は、図２に示すように、画像形成システム１全体を統括的に制御しているが、給紙装置１０、巻取装置５０の各装置がそれぞれ制御部を備えた構成であっても良い。
【００３８】
また、画像形成装置３０は、画像形成機能に加え、コピー機能、スキャン機能、ファクシミリ機能等を有するＭＦＰ（Multi-Function Peripheral）であってもよい。
【００３９】
次に、本実施形態における画像形成システム１の動作について説明する。
【００４０】
図５は、画像形成システム１において実行される画像形成動作の手順を示すフローチャートである。図６は、通常モードの停止シーケンスを示す図であり、図７は、ヤレ紙抑制モードの停止シーケンスを示す図である。
なお、図６、７において、（Ａ）（Ｂ）では、縦軸は、画像形成部３２の転写ローラーＴ、及び定着部３３の加圧ローラー３３２の移動距離を表し、横軸は、時間を表している。また、（Ｃ）では、縦軸は、連続紙Ｐの搬送速度を表し、横軸は、時間を表している。
また、かかる画像形成動作の前提として、予め、連続紙Ｐの搬送モードが設定される。
【００４１】
先ず、制御部３４は、画像形成部３２の転写ローラーＴ、及び定着部３３の加圧ローラー３３２を圧着させる（ステップＳ１０１）。
【００４２】
次に、制御部３４は、連続紙Ｐの搬送モードとして「ヤレ紙抑制モード」が設定されているか否かを判断し（ステップＳ１０２）、「ヤレ紙抑制モード」が設定されていない場合（ステップＳ１０２：ＮＯ）、蛇行安定待ち処理を実施し（ステップＳ１０３）、後述のステップＳ１０４に移行する。
【００４３】
一方、「ヤレ紙抑制モード」が設定されている場合（ステップＳ１０２：ＹＥＳ）、制御部３４は、画像形成処理を開始する（ステップＳ１０４）。
【００４４】
次に、制御部３４は、連続紙Ｐ上の最終画像が定着部３３を通過したか否かを判断し（ステップＳ１０５）、通過していない場合（ステップＳ１０５：ＮＯ）、かかるステップＳ１０５を繰り返す。
【００４５】
一方、連続紙Ｐ上の最終画像が定着部３３を通過した場合（ステップＳ１０５：ＹＥＳ）、制御部３４は、転写ローラーＴの圧着解除を開始する（図６および図７のｔ１）（ステップＳ１０６）。
【００４６】
次に、制御部３４は、「ヤレ紙抑制モード」が設定されているか否かを判断し（ステップＳ１０７）、「ヤレ紙抑制モード」が設定されていない場合（ステップＳ１０７：ＮＯ）、次の画像形成動作の予約があるか否かを判断する（ステップＳ１０８）。
【００４７】
そして、次の画像形成動作の予約がない場合（ステップＳ１０８：ＮＯ）、制御部３４は、後述のステップＳ１１１に移行する。
一方、次の画像形成動作の予約がある場合（ステップＳ１０８：ＹＥＳ）、制御部３４は、定着冷却処理を実施し（図６のｔ３〜ｔ４）（ステップＳ１０９）、その後、最終画像が第１停止位置を通過したか否かを判断する（ステップＳ１１０）。
【００４８】
そして、最終画像が第１停止位置を通過していない場合（ステップＳ１１０：ＮＯ）、制御部３４は、かかるステップＳ１１０の判断を繰り返す。
一方、最終画像が第１停止位置を通過した場合（図６のｔ４）（ステップＳ１１０：ＹＥＳ）、制御部３４は、後述のステップＳ１１２に移行する。
【００４９】
また、上記ステップＳ１０７において、「ヤレ紙抑制モード」が設定されている場合（ステップＳ１０７：ＹＥＳ）、制御部３４は、最終画像が第２停止位置を通過したか否かを判断する（ステップＳ１１１）。
【００５０】
そして、最終画像が第２停止位置を通過していない場合（ステップＳ１１１：ＮＯ）、制御部３４は、かかるステップＳ１１１の判断を繰り返す。
一方、最終画像が第２停止位置を通過した場合（図７のｔ２）（ステップＳ１１１：ＹＥＳ）、制御部３４は、後述のステップＳ１１２に移行する。
【００５１】
次に、制御部３４は、定着部３３の加圧ローラー３３２の圧着解除を開始し（図６のｔ４、図７のｔ２）、用紙搬送を停止する（ステップＳ１１２）。
【００５２】
次に、制御部３４は、次の画像形成動作の予約があるか否かを判断し（ステップＳ１１３）、予約がある場合（ステップＳ１１３：ＹＥＳ）、上記ステップＳ１０１に戻って以降の処理を繰り返す。
一方、予約がない場合（ステップＳ１１３：ＮＯ）、制御部３４は、本処理を終了する。
【００５３】
図６に示すように、通常モードの場合、蛇行安定待ち処理及び定着冷却処理を実施するのに対し、図７に示すように、ヤレ紙抑制モードでは、これらの処理を実施しない。このため、ヤレ紙抑制モードでは、白紙で連続紙Ｐが搬送される処理が省略されることとなる。
また、図６に示すように、通常モードの場合、転写ローラーＴの離間完了を待ってから加圧ローラー３３２の離間を開始しているのに対し、図７に示すように、ヤレ紙抑制モードでは、転写ローラーＴの状態によらず、画像形成装置３０の搬出口３０ａ通過のタイミングで加圧ローラー３３２の離間を開始する。このため、連続紙上の最終画像が、目視可能な第２停止位置に位置した状態で搬送が停止されることとなる。
【００５４】
以上のように、本実施形態によれば、連続紙Ｐを搬送する用紙搬送部３１と、連続紙Ｐ上に画像を形成する画像形成部３２と、連続紙Ｐ上に形成された画像を定着する定着部３３と、用紙搬送部３１、画像形成部３２、及び定着部３３による画像形成動作を制御する制御部３４と、を有し、制御部３４は、画像形成動作を終了する際に、ヤレ紙抑制モードが選択されている場合には、用紙搬送部３１を制御して、連続紙Ｐ上の最終画像後端が定着部３３を通過した後、最終画像後端が、第１停止位置より上流の第２停止位置に位置するように搬送を停止し、画像形成動作を終了する際に、ヤレ紙抑制モードが選択されていない場合には、用紙搬送部３１を制御して、連続紙Ｐ上の最終画像後端が定着部３３を通過した後、最終画像後端が、第１停止位置に位置するように搬送を停止する。
このため、ヤレ紙抑制モードにおいて、通常より上流の第２停止位置に最終画像後端が位置するように搬送を停止できるので、ヤレ紙を低減すると共に、形成された画像の確認を容易に行うことができる。
【００５５】
また、本実施形態によれば、画像形成部３２及び定着部３３を有する画像形成装置３０と、画像形成装置３０から離間して配され、画像形成装置３０により画像形成された連続紙Ｐを支持軸５１に巻き取る巻取装置５０と、を備え、第１停止位置は、連続紙Ｐ上の最終画像後端が、巻取装置５０の支持軸５１に巻き取られる位置であり、第２停止位置は、画像形成装置３０と巻取装置５０との間となる位置である。
このため、通常モードにおいては、後続の工程に有益な第１停止位置まで連続紙Ｐを搬送して停止できる。また、ヤレ紙抑制モードにおいては、画像形成終了直後に連続紙Ｐを停止して、ヤレ紙を低減すると共に、形成された画像の確認を容易に行うことができる。
【００５６】
また、本実施形態によれば、制御部３４は、ヤレ紙抑制モードが選択されていない場合には、連続紙Ｐを定着部３３に接触させた状態で搬送する定着冷却処理を実施し、ヤレ紙抑制モードが選択されている場合には、定着冷却処理を実施しない。
このため、ヤレ紙抑制モードにおいて、定着冷却時の白紙の連続紙Ｐの搬送時間が省略されるので、ヤレ紙を低減することができる。
【００５７】
また、本実施形態によれば、制御部３４は、ヤレ紙抑制モードが選択されていない場合には、画像形成部３２による画像形成の開始前に用紙搬送部３１により所定時間連続紙Ｐを搬送する蛇行安定待ち処理を実施し、ヤレ紙抑制モードが選択されている場合には、蛇行安定待ち処理を実施しない。
このため、ヤレ紙抑制モードにおいて、画像形成の開始前の白紙の連続紙Ｐの搬送時間が省略されるので、ヤレ紙を低減することができる。
【００５８】
また、本実施形態によれば、定着部３３は、圧着及び離間可能なローラー対を備え、制御部３４は、ヤレ紙抑制モードが選択されている場合には、画像形成動作を終了する際のローラー対の離間タイミングを、ヤレ紙抑制モードが選択されていない場合より早くする。
このため、ヤレ紙抑制モードにおいて、連続紙Ｐが定着部３３通過した直後に連続紙Ｐの搬送を停止する制御を実現することができる。
【００５９】
また、本実施形態によれば、ユーザーが、画像形成動作の種類に応じてヤレ紙抑制モードを設定可能な操作表示部３６を備える。
このため、ユーザーの任意で、画像形成動作の種類に応じてヤレ紙抑制モードを設定することができる。
【００６０】
また、本実施形態によれば、画像形成動作の種類は、確認用のプルーフ印刷、連続紙Ｐ上の画像形成領域のサイズが所定長さ以下の一画像印刷、連続して画像形成動作を行う連続印刷を含む。
このため、プルーフ印刷、一画像印刷、連続印刷において、ヤレ紙抑制モードを設定することができる。
【００６１】
また、本実施形態によれば、操作表示部３６により、連続印刷に対してヤレ紙抑制モードが設定されていた場合、制御部３４は、連続紙Ｐ上の最終画像後端が定着部３３を通過した後、次の画像形成動作が予約されているか否かを判断し、次の画像形成動作が予約されている場合には、当該予約された画像形成動作の前の画像形成動作をヤレ紙抑制モードで行う。
このため、連続して画像形成動作を行う場合、ヤレ紙を低減することができる。例えば、通常モードでの画像形成動作中に次の画像形成動作が予約された場合にも、実行中の画像形成動作（予約された画像形成動作の前の画像形成動作）をヤレ紙抑制モードで行うことができる。
【００６２】
また、本実施形態によれば、第１停止位置の上流で且つ第２停止位置の下流に、連続紙Ｐの切断を行う切断部５２を備える。
このため、連続紙Ｐを所定位置にて切断することができる。
【００６３】
なお、上記実施形態においては、ユーザーが画像形成動作の種類によりモードを設定変更できる構成を例示して説明したが、画像形成動作の種類が、例えば、プルーフ印刷、一画像印刷、連続印刷の場合の場合には、制御部３４が自動でヤレ紙抑制モードを選択する構成としても良い。
【符号の説明】
【００６４】
１  画像形成システム
１０  給紙装置
１１  支持軸
２０  給紙調整部
３０  画像形成装置
３０ａ  搬出口
３１  用紙搬送部
３２  画像形成部
Ｂ  中間転写ベルト
Ｔ  転写ローラー
３３  定着部
３３１  加熱ローラー
３３２  加圧ローラー
３４  制御部
３５  記憶部
３６  操作表示部（設定部）
３６ａ  表示部
３６ｂ  操作部
Ｇ１  設定画面
Ｇ２  設定画面
Ｂ１  ボタン
Ｂ２  ボタン
４０  巻取調整部
４０ａ  搬入口
４１  支持板
５０  巻取装置
５１  支持軸
５２  切断部
Ｐ  連続紙
【図１】
2018045250.tif 000003
【図２】
2018045250.tif 000004
【図３】
2018045250.tif 000005
【図４】
2018045250.tif 000006
【図５】
2018045250.tif 000007
【図６】
2018045250.tif 000008
【図７】
2018045250.tif 000009